(57)【要約】      （修正有）【課題】壁面に棚類が密着でき、上端部における掛止のみの取付けでも安定性が確保でき、一人の作業により据え付けができる、取付けが容易な棚類の掛止金具を提供する。【解決手段】弾性変形可能な帯状基板９に一片又は複数片のＬ字形のフック１２を一体に突設し、そのＬ字形の先端部としての起立片２１の内側を傾斜縁２３に形成した壁面５側の引掛け金具１と、弾性変形可能な帯板に部分的に屈折して張り出す凸形部２８を形成するとともにフックの傾斜縁２３に孔上縁で係合して掛かる窓孔２９を設けた棚類７側の受け金具３とからなり、引掛け金具１は、フック１２を挟む上方と下方の両部に止ビス１０等を通す止孔１５を設け、また、受け金具３は、凸形部２８を挟む上方と下方の両部にビス２６等で止めるための止孔３０を設ける。引掛け金具１及び受け金具３とが弾性変形を生じ得るように構成し、その弾性変形に伴う弾性により棚類が壁面に密着する。【選択図】図１
2012161540.tif 000002
【特許請求の範囲】
【請求項１】
弾性変形可能な帯状基板に一片又は複数片においてＬ字形のフックを一体に突設するとともに、そのＬ字形の先端部としての起立片の内側を傾斜縁に形成した壁面側の引掛け金具と、弾性変形可能な帯板に部分的に屈折して張り出す張出面を形成するとともにその張出面にフックの傾斜縁に上孔縁で係合して掛かる窓孔を設けた棚類側の受け金具とからなり、引掛け金具は、フックを挟む上方と下方の両部に止ビス等を通す止孔を設けてあり、また、受け金具は、張出面を挟む上方と下方の両部にビス等の止具で止めるための止孔を設けてあって、引掛け金具及び受け金具とが、フックの傾斜縁と窓孔の上孔縁との係合に伴う倍力の引き合いにより止具間において互いに反る弾性変形を生じ得るように構成し、その弾性変形に伴う弾性により棚類が壁面に密着し得ることを特徴とする棚類の掛止金具装置。
【請求項２】
止孔で止める止具は、主ピン付きの押えの裏面に止孔との嵌合部が突設された差ピンピースであって、さらに押えには、主ピンを突設するとともに、別途差ピンが少なくとも左右一対において傾斜し且つ交差して嵌合部から壁面に差し込まれるよう、その通し孔を設けたことを特徴とする請求項１記載の棚類の掛止金具装置。
【請求項３】
引掛け金具には小孔が止孔に隣接して設けられ、差ピンピースは、押えが複数の止孔にわたる上下長に形成され、主ピンが小孔に通すように突設され、また、各止孔に応じてその嵌合部が形成され、各嵌合部ごとに一対の差ピンピースの通し孔が設けられていることを特徴とする請求項２記載の棚類の掛止金具装置。
【発明の詳細な説明】
【技術分野】
【０００１】
この発明は、食器棚や本棚、陳列棚等の棚類を壁面に対して簡単に且つ安定して取り付けるための棚類の掛止金具装置に関する。
【０００２】
棚類は一般的に床の上に設置されるが、例えば食器棚等では、台所のスペースや配置等の状況から壁面に張りつけるように掛止して高く設置されることがある。このときには掛止金具が用いられるが、従来の掛止金具は、帯板をＬ字形に折り曲げ形成したものであった。
【０００３】
Ｌ字形の掛止金具にはその両片にビスの通し孔が設けられているので、使用するときには、一片を棚類の側面に、他片を壁面にそれぞれビス止めされる。しかし、この取付け方では、Ｌ字形の掛止金具は、上面だけでは不足し、左右側面、下面の各面に配置する必要があった。また、手順については、最初に棚類に一片をビス止めして取り付け、その棚類を持ち上げ壁面に押しつけながら他片のビス止を行っていた。
【発明の概要】
【発明が解決しようとする課題】
【０００４】
上記のような従来のＬ字形の掛止金具によれば、それが棚類の裏面と面一（または僅かに引っ込んだ状態）にして予め棚類に取り付けておかないと、壁面に密着しなかった。誤って出っ張った状態に取り付けたときには、壁面と棚類との間に隙間が生じるために見苦しく、また、ガタついて棚類の支持に安定性が得られない状態となりやすかった。まして、クロス張りのような壁面にはわずかに凹凸が生じていることが多く、その場合に凹凸にかかわらず均一に密着させることはできなかった。
【０００５】
力学的に見た場合、壁面に対して物体を上端部でのみ左右一対で密着して止めてあると、それだけで（下端部を止めてなくとも）取り付けの安定性が確保される（後に図８で説明）。しかし、上記のようなＬ字形の掛止金具によると、棚類の上端部において取付強度および密着性が確保されないために、前屈みとなり、ガタつくことで不安定であることが多く、安全上から下端部においても掛止金具を使用する手数を要し、また、一人単独での作業が困難であることもあって、作業性が非常に悪かった。
【０００６】
この発明は、上記のような実情に鑑みて、壁面に対して棚類が密着できるので、上端部における掛止のみの取付けでも安定性が確保でき、取付けが容易であり手数がかからなく、単独の作業により要領よく据え付けができる棚類の掛止金具を提供することを課題とした。
【課題を解決するための手段】
【０００７】
上記の課題を解決するために、この発明は、弾性変形可能な帯状基板に一片又は複数片においてＬ字形のフックを一体に突設するとともに、そのＬ字形の先端部としての起立片の内側を傾斜縁に形成した壁面側の引掛け金具と、弾性変形可能な帯板に部分的に屈折して張り出す張出面を形成するとともにその張出面にフックの傾斜縁に上孔縁で係合して掛かる窓孔を設けた棚類側の受け金具とからなり、引掛け金具は、フックを挟む上方と下方の両部に止ビス等を通す止孔を設けてあり、また、受け金具は、張出面を挟む上方と下方の両部にビス等の止具で止めるための止孔を設けてあって、引掛け金具及び受け金具とが、フックの傾斜縁と窓孔の上孔縁との係合に伴う倍力の引き合いにより止具間において互いに反る弾性変形を生じ得るように構成し、その弾性変形に伴う弾性により棚類が壁面に密着し得ることを特徴とする棚類の掛止金具装置を提供する。
【０００８】
棚類の掛止金具装置を上記のように構成したから、壁面に棚類を掛止するには、まず、受け金具を棚類の上端部に有する左右一対の凹所に収めてビス止めして取り付ける一方、それに対応して壁面に引掛け金具をビス止めしてから、棚類を持ち上げながら引掛け金具のフックに受け金具の窓孔を引っ掛ける。そうすると、フックの傾斜縁に沿って窓孔の上孔縁が下降することにより、テーパーの倍力により受け金具が引掛け金具に引きつけられ、それが強力であるので微小に弾性変形を伴って弾力によっても棚類が壁面に密着する。そして、その上端部の掛止部分を支点として、棚類の荷重のモメントが働くために下端部でも壁面に圧接して密着する。
【発明の効果】
【０００９】
以上説明したように、この発明によれば、棚類の上端部で壁面に金具を引っ掛けるだけで、壁面に対して棚類が言わば全面的に密着し、上端部における掛止のみの取付けでもガタつくこともなく堅固に保持され、安定性が確保でき、また、取付けが容易であり手数がかからなく、棚類を持ち上げる操作による引っ掛け作業となるため、一人単独の作業で要領よく据え付けができるという優れた効果がある。
【００１０】
また、請求項２及び３によれば、壁面がビスの効かない石膏ボード壁等であっても安定して且つ強力に引掛け金具を止めることができ、ピンを差すことでその作業性も良好である。
【図面の簡単な説明】
【００１１】
【図１】この発明の棚類の掛止金具装置を示す分解斜視図である。
【図２】同掛止金具の使用状態を示す断面図である。
【図３】他の実施例を示す引掛け金具の斜視図である。
【図４】他の実施例を示す差ピンピースの斜視図である。
【図５】同差ピンピースの正面図である。
【図６】同差ピンピースの使用状態を示す断面図である。
【図７】この発明に係る凹所としての縦溝を説明するための棚類の裏面を示す説明図である。
【図８】棚類が壁面に密着する説明図である。
【発明を実施するための形態】
【００１２】
この発明の棚類の掛止金具装置は、掛止金具Ｐが壁面５に固着する引掛け金具１と棚類７に固着する受け金具３とからなる。そのうち、受け金具３を納める凹所としては縦溝８，８が考えられるが、これに限定されるものではなく、また、縦溝８，８は、側板３１の端面に形成したが、押出形材で形成することもできる。
【００１３】
金具の弾性変形を得るには、材料として金属又はプラスチック等を使用する。また、弾性変形の強弱は、幅や厚みを調整する、盗み孔２９や切欠部１３を設ける等の調整の仕方を取ることができる。
【実施例１】
【００１４】
図１および図２は一実施例を示したもので、その棚類の掛止金具Ｐは、壁面５に固定される引掛け金具１と、棚類７に取り付けられる受け金具３とからなり、それぞれ金属に帯状にプレス加工を施すことにより形成される。この棚類の掛止金具Ｐは、棚類７の上端部においてのみ使用される。そのため、棚類７には受け金具３，３が納まる縦溝８，８が設けられる（図７，図８参照）。
【００１５】
引掛け金具１は、壁面５に密着する帯状基板９に上下一対のフック１２，１２を突設したもので、フック１２，１２を幅中央に切り起こしにより形成するために、帯状基板９には起こし側に切欠部１３，１３が設けられる。フック１２，１２およびその切り起こし切欠部１３，１３は、それぞれ両端から距離をおいて形成される。
【００１６】
帯状基板９には、上端部と、両フック１２，１２の間とに、上下に等間隔に止ビス１０、釘、ピン等を通す３個の大の止孔１５，１５，１５が設けられ、これが最も大きい孔であるが，その他に補助的な中孔１７および小孔１９が配列される（図１参照）。なお、この配列は様々となる。
【００１７】
フック１２，１２は、上向き先端部としての起立片２１が偏った楔形であって、その内側に帯状基板９との間が徐々に狭くなるよう傾斜縁２３を有し、下端に受け金具３が厚みで嵌まる最小間隔を有する。
【００１８】
次に、受け金具３は、棚類７の両縦溝８，８に納めて固定することにより、引掛け金具１に引っ掛けるもので、金属の帯板にプレス加工を施して、縦溝８，８の底に定着する底受部２５を中央部に段落で屈折形成し、両端には、同じ深さの落ち込みによりＬ字形に屈折した端底受け２７，２７が形成される。また、底受部２５の両端部と端底受け２７，２７とにビス２６等の止具を通す止孔３０，３０，・・が設けられる。受け金具３にはさらに、中央の底受部２５と両端の端底受け２７，２７との間に生じている両凸形部２８，２８に、フック１２，１２に掛ける窓孔２９，２９が広く矩形に形成される。これによっても弾性変形しやすくなっている。
【００１９】
棚類７は、この場合食器棚であって、左右側板３１，３１と上下板３３，３３とにより箱型の枠組みがなされ、この枠組みが壁面５に密着するように、これに奥板４０がやゝ引っ込んで嵌着される。なお、縦溝８，８を側板３１，３１の上端部においてのみ形成しても良い。
【００２０】
図２は、棚類７を壁面５に取り付けた状態を示したもので、引掛け金具１の上下フック１２，１２に受け金具３の上下窓孔２９，２９がその上縁で引っ掛かり、フック１２，１２の傾斜縁２３，２３に係合して壁面５へ向かう引き付の倍力が生じ、棚類７の両側板３１，３１が壁面５に密着している。また、倍力による引き合いにより、掛止金具Ｐには、引掛け金具１の止具間Ｌと受け金具３の止具間Ｍとに、ミクロに出っ張る弾性変形が生じている。
【００２１】
この引きつけによる取付けがあると（図８参照）、壁面５に対する棚類７の摩擦が大きくなることでも下降する荷重に対する支持力が生じる。また、上端部のみの支持によれば、取付部分Ｐを支点とする荷重が壁面５に下端部でも密着するモメントとして働くので（矢印参照）、下端部において支持金具を用いる必要は全くなく、用いると支点が下端に変じて却って逆効果となる。
【実施例２】
【００２２】
図３は、壁面５に固定する手段として止ビス１０の代わりに差ピンピース１１を用いたものである。引掛け金具１には、上端部と中間部とにそれぞれ３個の大止孔１５，１５，１５が配列されているので、３個の止孔１５，１５，１５について対となる押え１４として形成した。また、これには裏面に止孔１５，１５，１５に嵌まる嵌合部３２，３２，３２が設けられる。
【００２３】
押え１４は、上下に長い板状であるとともに上面に両端部と中央部に隆起面を設け、裏面のほゞ中央に主ピン３４が一体に突設され、表面の各隆起面において上向き傾斜となる部分に左右一対ずつ差ピン３５，３５の通し孔３７，３７が設けられる。各一対の差ピン３５，３５は、押え１４の内部で交差して上から斜めに壁面５に差し付けられるように、内部で交差して嵌合部３２，３２，３２の先端から通し孔３７，３７の出口が開口している。なお、主ピン３４は直角に押え１４から突出し、小孔１９に通して壁面５に差しつけられる。
【００２４】
このように、両差ピン３５，３５が抜けがたく交差しているが、さらに壁面５に差し込まれると荷重に耐えやすく下向きに傾斜しいる。この差ピン３５，３５に傾斜があるために、棚類７の荷重が差ピン３５，３５を掛止方向に向かわせている。これらの差ピン３５，３５及び通し孔３７，３７の形態については、次の類例実施例と同じである。
【実施例３】
【００２５】
図４，図５，図６は、次の類例実施例として他の差ピンピース１１を示したもので、押え１４が単独の頭部形であって、その裏面に止孔１５に対する嵌合部３２が設けられ、その部分に主ピン３４が突出し左右一対の差ピン３５，３５の通し孔３７，３７が形成される。主ピン３４が嵌合部３２から突出して大きな止孔１５から通される点が実施例２の場合と異なっている。
【符号の説明】
【００２６】
Ｐ  棚類の掛止金具
１  引掛け金具
３  受け金具
７  棚類
８  凹所としての縦溝
９  帯状基板
１０  止具としての止ビス
１１  止具としての差ピンピース
１２  フック
１４  押え
１５  止孔
１９  小孔
２１  起立片
２３  傾斜縁
２６  止具としての止ビス
２８  凸形部
２９  窓孔
３０  止孔
３２  嵌合部
３４  主ピン
３５  差ピン
３７  通し孔
Ｌ  引掛け金具の止具間
Ｍ  受け金具の止具間
【図１】
2012161540.tif 000003
【図２】
2012161540.tif 000004
【図３】
2012161540.tif 000005
【図４】
2012161540.tif 000006
【図５】
2012161540.tif 000007
【図６】
2012161540.tif 000008
【図７】
2012161540.tif 000009
【図８】
2012161540.tif 000010